(57)【要約】  電子機器（１）は、ユーザが複数の移動状態のいずれであるかを判別する制御部（１９）と、所定のイベントの発生を音又は振動により報知する報知部（２０）と、を備え、制御部（１９）は、前記イベントが発生したときの移動状態に応じて、報知部（２０）による報知時間を決定することで、ユーザの移動状態に合わせて、報知部（２０）による報知時間を調整することができる。
2015129068.tif 000002
【特許請求の範囲】
【請求項１】
ユーザが複数の移動状態のいずれであるかを判別する制御部と、
所定のイベントの発生を音又は振動により報知する報知部と、を備え、
前記制御部は、前記イベントが発生したときの移動状態に応じて、前記報知部による報知時間を決定する電子機器。
【請求項２】
前記制御部は、前記イベントが発生したときの移動状態に応じて、前記複数の移動状態のうち所定の移動状態に対応する報知時間を基準として前記報知時間を決定する請求項１に記載の電子機器。
【請求項３】
前記制御部は、前記複数の移動状態として、停止状態、歩行状態及び走行状態を判別し、
前記イベントが発生したときの移動状態が停止状態のときより歩行状態及び走行状態の内、少なくとも走行状態のときの報知時間が長くなるように決定する請求項１又は請求項２に記載の電子機器。
【請求項４】
前記制御部は、前記報知部により前記イベントの発生を報知している間に、移動状態が変化した場合、変化後の移動状態に応じて前記報知部による報知時間を調整する請求項１乃至請求項３のいずれかに記載の電子機器。
【請求項５】
複数の移動状態のいずれであるかを制御部が判別する第１のステップと、
判別した移動状態に応じて報知時間を前記制御部が決定する第２のステップと、
決定した報知時間で、イベントの発生を音又は振動により前記制御部が報知させる第３のステップと、を含む報知制御方法。
【請求項６】
前記第３のステップにおいて、前記報知部により前記イベントの発生を報知している間に、移動状態が変化した場合、変化後の移動状態に応じて前記報知時間を前記制御部が再調整する請求項５に記載の報知制御方法。
【請求項７】
複数の移動状態のいずれであるかを判別する第１のステップと、
判別した移動状態に応じて報知時間を決定する第２のステップと、
決定した報知時間で、イベントの発生を音又は振動により報知させる第３のステップと、を制御部に実行させる報知制御プログラム。
【請求項８】
前記第３のステップにおいて、前記報知部により前記イベントの発生を報知している間に、移動状態が変化した場合、変化後の移動状態に応じて前記報知時間を調整する請求項７に記載の報知制御プログラム。
【請求項９】
ユーザが複数の移動状態のいずれであるかを判別する制御部と、
所定のイベントの発生を音又は振動により報知する報知部と、を含み、
前記制御部は、前記イベントが発生したときの移動状態に応じて、前記報知部による報知時間を決定する報知制御システム。
【発明の詳細な説明】
【技術分野】
【０００１】
本発明は、電子機器、報知制御方法、報知制御プログラム及び報知制御システムに関する。
【背景技術】
【０００２】
特許文献１によると、加速度センサから出力される検知信号に基づいて、ユーザの移動状態を判定し、その判定結果に応じて、バイブレータによって不在着信を報知する電子機器がある。
【先行技術文献】
【特許文献】
【０００３】
【特許文献１】特開２００６−３０３５６５号公報
【発明の概要】
【発明が解決しようとする課題】
【０００４】
従来の電子機器、報知制御方法、報知制御プログラム及び報知制御システムは、報知の制御方法に改善の余地があった。
【課題を解決するための手段】
【０００５】
本発明の実施形態に係る電子機器は、ユーザが複数の移動状態のいずれであるかを判別する制御部と、所定のイベントの発生を音又は振動により報知する報知部と、を備え、前記制御部は、前記イベントが発生したときの移動状態に応じて、前記報知部による報知時間を決定することを特徴とするものである。【０００６】
本発明の実施形態に係る報知制御方法は、複数の移動状態のいずれであるかを制御部が判別する第１のステップと、判別した移動状態に応じて報知時間を前記制御部が決定する第２のステップと、決定した報知時間で、イベントの発生を音又は振動により前記制御部が報知させる第３のステップと、を含むことを特徴とするものである。【０００７】
本発明の実施形態に係る報知制御プログラムは、複数の移動状態のいずれであるかを判別する第１のステップと、判別した移動状態に応じて報知時間を決定する第２のステップと、決定した報知時間で、イベントの発生を音又は振動により報知させる第３のステップと、を制御部に実行させることを特徴とするものである。【０００８】
本発明の実施形態に係る報知制御システムは、ユーザが複数の移動状態のいずれであるかを判別する制御部と、所定のイベントの発生を音又は振動により報知する報知部と、を含み、前記制御部は、前記イベントが発生したときの移動状態に応じて、前記報知部による報知時間を決定することを特徴とするものである。
【発明の効果】
【０００９】
本発明によれば、ユーザの移動状態に合わせて、報知部による報知時間を調整することができる。
【図面の簡単な説明】
【００１０】
【図１】図１は、携帯電話機の構成を示すブロック図である。
【図２】図２は、加速度センサの検出結果を模式的に示す図である。
【図３】図３は、携帯電話機の移動状態の判別動作の流れについての説明に供する第１のフローチャートである。
【図４】図４は、携帯電話機の報知動作の流れについての説明に供する第２のフローチャートである。
【図５】図５は、携帯電話機の報知時間の再調整動作の流れについての説明に供する第３のフローチャートである。
【発明を実施するための形態】
【００１１】
本発明を実施するための実施形態を、図面を参照しつつ詳細に説明する。以下では、電子機器の一例として、携帯電話機１について説明する。
【００１２】
携帯電話機１は、図１に示すように、表示部１１と、操作部１２と、レシーバ１３と、マイク１４と、通信部１５と、タイマー１６と、加速度センサ１７と、記憶部１８と、制御部１９と、報知部２０と、を備える。
【００１３】
表示部１１は、例えば、液晶ディスプレイ（Ｌｉｑｕｉｄ  Ｃｒｙｓｔａｌ  Ｄｉｓｐｌａｙ）、ＥＬディスプレイ（Ｅｌｅｃｔｒｏ−Ｌｕｍｉｎｅｓｃｅｎｃｅ  Ｄｉｓｐｌａｙ）、ＭＥＭＳ（Ｍｉｃｒｏ  Ｅｌｅｃｔｒｏ  Ｍｅｃｈａｎｉｃａｌ  Ｓｙｓｔｅｍｓ）シャッターディスプレイ等の表示デバイスにより構成されている。
【００１４】
操作部１２は、複数のボタンから構成されている。なお、操作部１２は、単一のボタンにより構成されていてもよいし、タッチスクリーンにより構成されていてもよい。操作部１２は、ユーザによって操作されるものである。
【００１５】
レシーバ１３は、制御部１９から送信される音声信号を音声に変換して出力する。
【００１６】
マイク１４は、音声を制御部１９に入力する。
【００１７】
通信部１５は、アンテナと、ＲＦ回路部とを備える。通信部１５は、複数の無線通信規格それぞれに対応した通信方式によって通信を行う。通信部１５は、２Ｇ、３Ｇ、及び４Ｇ等のセルラーフォンの通信規格、又は無線ＬＡＮシステムによる通信を可能とする。通信部１５は、無線ＬＡＮシステムである、ＩＥＥＥ８０２．１１に準拠している無線通信システム、例えば、Ｗｉ−Ｆｉ（登録商標）の無線通信システムによる通信を可能とする。なお、通信部１５は、ＷｉＭＡＸ（登録商標）の無線通信システムによる通信を行ってもよい。アンテナ及びＲＦ回路部は、複数の通信方式それぞれに対応して複数設けられている。本実施形態では、通信部１５は、セルラーフォンの通信規格により通信を行うものとして説明を進める。
【００１８】
タイマー１６は、制御部１９と接続されており、定期的に割り込み信号を制御部１９に送信することで、制御部１９による定期動作及び同期動作を行わせるものである。
【００１９】
加速度センサ１７は、携帯電話機１に働く加速度の方向及び大きさを検出し、検出結果を制御部１９に出力する。加速度センサ１７は、Ｘ軸方向、Ｙ軸方向及びＺ軸方向の加速度を検出する３Ｇ（３次元）タイプである。
【００２０】
なお、加速度センサ１７は、例えば、ピエゾ抵抗型、静電容量型により構成されるものとするが、これに限らない。例えば、加速度センサ１７は、圧電素子（圧電式）、熱検知型によるＭＥＭＳ（Ｍｉｃｒｏ  Ｅｌｅｃｔｒｏ  Ｍｅｃｈａｎｉｃａｌ  Ｓｙｓｔｅｍｓ）式、可動コイルを動かしてフィードバック電流によってもとに戻すサーボ式、又は加速度によって生じる歪を歪ゲージによって測定する歪ゲージ式等により構成されてもよい。
【００２１】
なお、携帯電話機１は、加速度センサ１７に加えて、角速度センサ、地磁気センサ、近接センサ、照度センサ及び気圧センサのうち少なくとも一つのセンサを備えてもよい。
【００２２】
記憶部１８は、制御部１９による演算処理に利用される。記憶部１８は、例えば、メモリ等により構成される。記憶部１８は、各種のプログラムが記憶されている。記憶部１８に記憶されるプログラムは、携帯電話機１の各部を制御するための制御プログラム及び各種アプリケーションプログラム（以下、単に「アプリケーション」と称する）を含む。アプリケーションとは、例えば、電話、メッセージ、ウェブブラウザ、地図、ゲーム、スケジュール管理、等のアプリケーションである。記憶部１８は、デフォルトの報知時間が記録された標準出力時間テーブルを記憶する。記憶部１８は、ユーザの各移動状態に対して個別に関連付けて報知時間が記録された出力時間調整テーブルを記憶する。
【００２３】
なお、各種プログラム、標準出力時間テーブル及び出力時間調整テーブルは、メーカによって携帯電話機１の製造時に記憶部１８に記憶される。各種プログラム、標準出力時間テーブル及び出力時間調整テーブルは、通信網又は、メモリカード及びＣＤ−ＲＯＭ等の記録媒体を介して記憶部１８に記憶されてもよい。
【００２４】
制御部１９は、携帯電話機１の全体を制御しており、ＣＰＵ（Ｃｅｎｔｒａｌ  Ｐｒｏｃｅｓｓｉｎｇ  Ｕｎｉｔ）、ＭＰＵ（Ｍｉｃｒｏ−Ｐｒｏｃｅｓｓｉｎｇ  Ｕｎｉｔ）等を用いて構成される。制御部１９は、記憶部１８に記憶されるプログラムによって各種処理を実行する。
【００２５】
ここで、制御部１９による加速度センサ１７の検出結果の処理について説明する。
【００２６】
制御部１９には、図２に示すように、Ｘ軸方向の加速度（図２中のＡ）と、Ｙ軸方向の加速度（図２中のＢ）と、Ｚ軸方向の加速度（図２中のＣ）と、各加速度を合成したベクトル値（図２中のＤ）と、が加速度センサ１７の検出結果として送信されてくる。制御部１９は、各加速度を合成した合成ベクトル値をロギングする。制御部１９は、ロギングしたデータを分析して、ユーザの移動状態を判別する。なお、ロギングしたデータは、記憶部１８に記憶される。
【００２７】
ユーザの移動状態を制御部１９が判別するにあたり、加速度パターンが用いられる。加速度パターンは、例えば、予め記憶部１８に記憶されている。加速度パターンは、複数の移動状態に対して個別に関連付けられている。この加速度パターンとは、携帯電話機１を有しているユーザが停止している状態（停止状態）にある場合、携帯電話機１を有しているユーザが歩行により移動している状態（歩行状態）にある場合、又は携帯電話機１を有しているユーザが走行により移動している状態（走行状態）にある場合等に、どのような加速度パターンが加速度センサ１７により特徴的に検出されるのかを、予め計測し、抽出しておいたパターンである。本実施形態においては、例えば、複数の移動状態毎に加速度パターンが予め記憶部１８に記憶されている。制御部１９は、上述した合成ベクトル値をロギングしたデータと、加速度パターンとを比較することにより、ユーザの移動状態を判別する。なお、加速度センサ１７に加えて、角速度センサ、地磁気センサ、近接センサ、照度センサ及び気圧センサのうち少なくとも一つのセンサを備える場合、制御部１９は、加速度センサ１７に加えて備えるセンサの検出結果に基づいて、ユーザの移動状態の判別結果を補正してもかまわない。
【００２８】
制御部１９は、停止状態の加速度パターンに替えて、加速度センサ１７によって検出された加速度が所定値未満である場合を停止状態にあると判別してもよい。制御部１９は、停止状態の加速度パターンに替えて、上述の合成ベクトル値をロギングしたデータが記憶する加速度パターンのいずれにも一致しない場合を停止状態にあると判別してもよい。
【００２９】
なお、制御部１９は、所定の時間的間隔で移動状態の判別を繰り返し、判別結果を記憶部１８に記憶させる。すなわち、制御部１９は、移動状態を継続して判別する。制御部１９は、記憶部１８に移動状態の判別結果を記憶させるとき、最新の判別結果を以前の判別結果に置き換えて記憶させてもよいし、判別結果を蓄積して記憶させてもよい。判別結果を制御部１９が蓄積して記憶させる場合、判別結果が所定量蓄積されると蓄積した古い判別結果を削除してもよい。
【００３０】
報知部２０は、スピーカ又は振動モータ等のデバイスにより構成されている。報知部２０は、所定のイベントの発生を制御部１９が検出したとき、音又は振動の少なくとも一方を出力する。なお、所定のイベントとは、例えば、メールの受信、アプリケーションの更新を知らせるデータの受信、アラームアプリケーションからの出力信号の受信、等である。報知部２０により、所定のイベントの発生をユーザに報知することができる。
【００３１】
ここで、制御部１９による報知時間の決定処理について説明する。
【００３２】
制御部１９は、所定のイベントの発生を検出すると、イベントの発生を検出したときの移動状態を特定する。
【００３３】
制御部１９は、出力時間調整テーブルを参照して、特定した移動状態と関連付けられている報知時間を報知時間として決定する。なお、制御部１９は、イベントの発生を検出したとき最も新しく記憶部１８に記憶されている移動状態の判別結果を、イベントの発生を検出したときの移動状態として特定すればよい。制御部１９は、イベントの発生を検出したことをトリガとしてユーザの移動状態の判別を開始し、その判別結果を、イベントの発生を検出したときの移動状態として特定してもよい。
【００３４】
制御部１９は、決定した報知時間で、音又は振動の少なくとも一方を報知部２０により出力させて、イベントの発生を報知させる。
【００３５】
携帯電話機１は、制御部１９が、イベントが発生したときの移動状態に応じて、報知部２０による報知時間を決定するため、ユーザの移動状態に合わせて、報知部２０による報知時間を調整することができる。
【００３６】
制御部１９は、複数の移動状態のうち所定の移動状態に対応する報知時間を基準とし、判別する移動状態に応じて報知時間を決定することで、予め定められた所定の移動状態を基準として、報知部２０による報知時間を調整することができる。
【００３７】
制御部１９は、予め定められた所定の移動状態を基準として、報知部２０による報知時間を調整するためには、基準となる移動状態をデフォルトの報知時間とし、所定のイベントの発生を検出すると、デフォルトの報知時間に対して報知時間を延長させればよい。制御部１９は、デフォルトの報知時間に対して報知時間を延長するため、出力時間調整テーブルは、例えば、報知時間の代わりに、デフォルトの報知時間に対する延長時間（以下、単に延長時間という。）を記録すればよい。制御部１９は、延長時間が記録された出力時間調整テーブルを参照して、デフォルトの報知時間に、移動状態と関連付けられている延長時間を加えた時間を報知時間として決定すればよい。なお、出力時間調整テーブルにおいて、基準とする移動状態に関連付けられている延長時間は、「０秒」として記録されればよい。
【００３８】
制御部１９は、複数の移動状態として、停止状態、歩行状態及び走行状態を判別することができる。制御部１９は、イベントが発生したときの移動状態が停止状態のときより歩行状態及び走行状態のときの報知時間が長くなるように決定することができる。イベントが発生したときの移動状態が停止状態のときより歩行状態及び走行状態のときの報知時間が長くなるように制御部１９が決定することで、ユーザはイベントの発生に気づきやすくなる。
【００３９】
さらに、制御部１９は、イベントが発生したときの移動状態が停止状態、歩行状態、走行状態の順に、報知部２０による報知時間が長くなるように報知時間を決定することができる。イベントが発生したときの移動状態が停止状態、歩行状態、走行状態の順に、報知時間が長くなるように報知時間を制御部１９が決定することで、ユーザは、イベントの発生により気づきやすくなる。
【００４０】
ここで、イベントが発生したときの移動状態が停止状態、歩行状態、走行状態の順に、報知時間が長くなるように報知時間を制御部１９が決定するためには、出力時間調整テーブルとして、停止状態、歩行状態、走行状態と個別に関連付けられている延長時間が、停止状態、歩行状態、走行状態の順に長くなるように記録されているものを用いればよい。このような出力時間調整テーブルとして、停止状態と関連付けられている延長時間が「０秒」、歩行状態と関連付けられている延長時間が「３秒」、走行状態と関連付けられている延長時間が「５秒」と記録されているものが例示できる。
【００４１】
なお、制御部１９は、イベントが発生したときの移動状態が停止状態のときより歩行状態及び走行状態の内、少なくとも走行状態のときの報知時間が長くなるように決定すればよい。このような制御をおこなうための出力時間調整テーブルは、少なくとも走行状態と関連付けられている延長時間が停止状態と関連付けられている延長時間より長ければよい。例えば、出力時間調整テーブルは、停止状態と関連付けられている延長時間が「０秒」、歩行状態と関連付けられている延長時間が「０秒」、走行状態と関連付けられている延長時間が「５秒」と記録されていればよい。
【００４２】
このような構成であれば、ユーザは、最も報知部２０からの報知に気付きにくい走行状態であっても、報知部２０の報知に気付きやすい。
【００４３】
制御部１９は、報知部２０によりイベントの発生を報知している間に、移動状態が変化したと検出した場合、変化後の移動状態に応じて報知時間を再調整する。このようにすることで、報知中に移動状態が変化した場合でも、変化後の移動状態に合わせて、報知時間を再調整することができる。
【００４４】
制御部１９による報知時間の再調整のパターンとして、報知している間に、停止状態から歩行状態、歩行状態から走行状態、又は停止状態から走行状態に変化したことを制御部１９が検出した場合に報知時間を延長させるものが例示できる。さらに、制御部１９による報知時間の再調整のパターンとして、報知している間に、歩行状態から停止状態、走行状態から歩行状態、又は走行状態から停止状態に変化したことを制御部１９が検出した場合に、報知時間を短縮させるものが例示できる。なお、制御部１９により変化後の移動状態に応じて報知時間を短縮させる場合、制御部１９は、次に示す時間以内に移動状態が報知時の移動状態から変化したかどうかを検出すれば、どのような移動状態の変化でも報知時間を短縮させる制御をおこなうことができる。すなわち、出力時間調整テーブルにおいて、移動状態と関連付けられている報知時間（又は、移動状態と関連付けられている延長時間に基準報知時間を足した時間）のうち最も短い時間以内に、制御部１９は、報知を開始したときの移動状態から、報知後の移動状態が変化したかどうかを検出すればよい。
【００４５】
次に、携帯電話機１の動作の流れについて、図３に示す第１のフローチャート及び図４に示す第２のフローチャートを参照しながら説明する。
【００４６】
図３に示す第１のフローチャートは、携帯電話機１の移動状態の判別動作の流れについての説明に供するものである。
【００４７】
ステップＳＴ１において、移動状態の判別機能がＯＮ状態になると、ステップＳＴ２において、制御部１９による移動状態の判別が開始される。なお、移動状態の判別機能をＯＮ状態にするには操作部１２を用いればよい。
【００４８】
制御部１９は、ステップＳＴ２において、移動状態の判別が開始されると、ステップＳＴ３において、加速度センサ１７の検出結果のロギングを開始する。制御部１９は、ロギングしたデータを記憶部１８に記憶させ、ステップＳＴ４に処理を移す。
【００４９】
ステップＳＴ４において、制御部１９は、加速度センサ１７の検出結果を分析して、各移動状態を判別し、ステップＳＴ５に処理を移す。
【００５０】
ステップＳＴ５において、制御部１９は、判別された移動状態の判別結果を記憶部１８に記憶させ、ステップＳＴ６に処理を移す。
【００５１】
ステップＳＴ６において、制御部１９は、所定の時間が経過したか否かを判断する。制御部１９は、所定の時間が経過したと判断した場合（ＹＥＳ）には、ステップＳＴ７に処理を移す。制御部１９は、所定の時間が経過していないと判断した場合（ＮＯ）には、ステップＳＴ６の処理を繰り返す。なお、この所定の時間は短いほどよい。
【００５２】
ステップＳＴ７において、制御部１９は、移動状態の判別機能がＯＦＦ状態であるか否かを判断する。制御部１９は、移動状態の判別機能がＯＦＦ状態であると判断した場合（ＹＥＳ）には、ステップＳＴ８において、移動状態の判別を終了する。制御部１９は、移動状態の判別機能がＯＦＦ状態でないと判断した場合（ＮＯ）には、ステップＳＴ３に処理を移す。
【００５３】
図４に示す第２のフローチャートは、携帯電話機１の報知動作の流れについての説明に供するものである。なお、第２のフローチャートに示す処理は、第１のフローチャートに示す処理と並列して行われるものである。
【００５４】
ステップＳＴ１１において、制御部１９は、イベントの発生を検出したか否かを判断し、イベントの発生を検出したと判断した場合（ＹＥＳ）には、ステップＳＴ１２に処理を移動する。制御部１９は、イベントの発生を検出しないと判断した場合（ＮＯ）には、ステップＳＴ１１の処理を繰り返す。
【００５５】
ステップＳＴ１２において、制御部１９は、移動状態の判別機能がＯＮ状態であるか否かを判断する。制御部１９は、移動状態の判別機能がＯＮ状態であると判断した場合（ＹＥＳ）には、ステップＳＴ１３Ａに処理を移動する。制御部１９は、移動状態の判別機能がＯＮ状態でないと判断した場合（ＮＯ）には、ステップＳＴ１３Ｂに処理を移動する。
【００５６】
ステップＳＴ１３Ａにおいて、制御部１９は、ステップＳＴ５で記憶部１８に記憶させている移動状態の判別結果に基づいて、イベントが発生したときに判別している移動状態を決定する。制御部１９は、イベントが発生したときに判別している移動状態に応じて、出力時間調整テーブルを参照して報知時間を決定し、ステップＳＴ１４に処理を移動する。なお、イベントが発生したときに制御部１９が判別している移動状態とは、例えば、イベントの発生を検出した時点で最も新しく記憶部１８に記憶されている移動状態とすればよい。
【００５７】
ここで、制御部１９は、ステップＳＴ１３Ａの処理を行ったとき、記憶部１８に移動状態の判別結果が記憶されていない場合は、標準出力時間テーブルを参照して、デフォルトの報知時間を報知時間として決定してもよいし、標準出力時間テーブルに記憶される報知時間のうちデフォルトの報知時間より長い報知時間を報知時間として決定してもよい。
【００５８】
ステップＳＴ１３Ｂにおいて、制御部１９は、記憶部１８に記憶されている標準出力時間テーブルを参照して、デフォルトの報知時間を報知時間として決定し、ステップＳＴ１４に処理を移動する。
【００５９】
ステップＳＴ１４において、制御部１９は、報知部２０より音又は振動を出力させ、報知を開始させ、ステップＳＴ１５に処理を移動する。
【００６０】
ステップＳＴ１５において、制御部１９は、ステップＳＴ１３Ａ又はステップＳＴ１３Ｂで決定した報知時間が経過したか、否かを判断する。制御部１９は、ステップＳＴ１３Ａ又はステップＳＴ１３Ｂで決定した報知時間が経過したと判断した場合（ＹＥＳ）には、ステップＳＴ１６に処理を移す。制御部１９は、ステップＳＴ１３Ａ又はステップＳＴ１３Ｂで決定した報知時間が経過していないと判断した場合（ＮＯ）には、ステップＳＴ１５の処理を繰り返す。
【００６１】
ステップＳＴ１６において、制御部１９は、報知部２０による報知を終了させ、ステップ１１の処理を再度開始する。
【００６２】
このような報知方法で動作する携帯電話機１は、ユーザの移動状態に合わせて、報知部２０による報知時間を調整することができる。
【００６３】
図５は、携帯電話機１の報知時間の再調整動作の流れについての説明に供する第３のフローチャートである。
【００６４】
制御部１９は、図４に示す第２のフローチャートのステップＳＴ１５とステップＳＴ１６の処理の間に、第３のフローチャートに示すように、報知時間の再調整動作をおこなっても構わない。具体的には、ステップＳＴ１５において、制御部１９は、ステップＳＴ１３Ａ又はステップＳＴ１３Ｂで決定した報知時間が経過したか、否かを判断する。制御部１９は、ステップＳＴ１３Ａ又はステップＳＴ１３Ｂで決定した報知時間が経過したと判断した場合（ＹＥＳ）には、ステップＳＴ１６に処理を移す。制御部１９は、ステップＳＴ１３Ａ又はステップＳＴ１３Ｂで決定した報知時間が経過していないと判断した場合（ＮＯ）には、ステップＳＴ２１に処理を移す。
【００６５】
ステップＳＴ２１において、制御部１９は、ステップＳＴ５において記憶部１８に記憶させている移動状態の判別結果に基づいて、移動状態が変化したか、否かを判定する。制御部１９は、移動状態が変化したと判定した場合（ＹＥＳ）、ステップＳＴ２２に処理を移す。制御部１９は、移動状態が変化していないと判定した場合（ＮＯ）、ステップＳＴ１５の処理に戻る。
【００６６】
ステップＳＴ２２において、制御部１９は、出力時間調整テーブルを参照し、変化後の移動状態に応じる報知時間を決定し、ステップＳＴ２３に処理を移す。
【００６７】
ステップＳＴ２３において、制御部１９は、ステップＳＴ２２において決定した報知時間に基づいて、報知時間を調整し、ステップＳＴ２４に処理を移す。
【００６８】
ステップＳＴ２４において、制御部１９は、調整した報知時間が経過したか、否かを判別する。制御部１９は、調整した報知時間が経過したと判断した場合（ＹＥＳ）、ステップＳＴ１６に処理を移す。制御部１９は、移動状態が変化していないと判断した場合（ＮＯ）、ステップＳＴ２４の処理を繰り返す。
【００６９】
このような報知動作を行う携帯電話機１は、イベントの発生を報知している間に移動状態が変化した場合、変化後の移動状態に応じて報知時間を制御部１９が調整することから、報知中に移動状態が変化しても、報知時間を再調整することができる。
【００７０】
本実施形態の携帯電話機１は加速度センサ１７、制御部１９及び報知部２０を全て含むものであるが、複数の電子機器がシステムとなって連携して、移動状態を判別し、報知時間を決定してもかまわない。複数の電子機器がシステムとなって連携する場合、複数の電子機器が備える複数の制御部が連携して、移動状態を判別し、報知時間を決定してもかまわない。
【００７１】
以上、本発明の実施形態について説明したが、本発明は前述した実施形態に限るものではない。本発明の実施形態に記載された効果は、本発明から生じる最も好適な効果を列挙したに過ぎず、本発明による効果は、前述の実施形態に記載されたものに限定されるものではない。
【符号の説明】
【００７２】
１  携帯電話機
１７  加速度センサ
１８  記憶部
１９  制御部
２０  報知部
【図１】
2015129068.tif 000003
【図２】
2015129068.tif 000004
【図３】
2015129068.tif 000005
【図４】
2015129068.tif 000006
【図５】
2015129068.tif 000007
【国際調査報告】
2015129068.tif 000008
2015129068.tif 000009